(57)【要約】      （修正有）【課題】ユーザ装置によって使用される位置決定スキームを提供する。【解決手段】ユーザ装置（ＵＥ）は、閉鎖環境の内部または外部で動作する間、第１の位置決めスキーム（ＰＳ）（例えば、屋内のＰＳまたは屋外のＰＳ）を使用してそれのロケーションをトラッキングし、それによってＵＥは、閉鎖環境の１つ以上の屋外から屋内への（ＯＩ）および／または屋内から屋外への（ＩＯ）遷移領域を特徴付ける、閉鎖環境に関連する遷移領域情報を保持する。ＵＥが、第１のＰＳを使用したそれのロケーショントラッキングに基づいて、それがその閉鎖環境の遷移領域へ入ったと決定する場合、ＵＥは、第２のＰＳを使用してそれのロケーションをトラッキングすることを始める。第２のＰＳの品質がしきい値を超える（例えば、ＵＥがその閉鎖環境のさらに内部および外部に移動するような）場合、ＵＥは第２のＰＳへ切り替え、第１のＰＳをやめることができる。【選択図】図７
2019050596.tif 000002
【特許請求の範囲】
【請求項１】
ユーザ装置（ＵＥ）を動作させる方法であって、
所与の閉鎖環境に対する、屋内空間と屋外空間との間の屋内から屋外への遷移領域のセットを特徴付ける遷移領域情報を取得することと、
前記ＵＥが前記屋内空間内で動作している間、屋内位置決めスキームを使用して前記ＵＥのロケーションをトラッキングすることと、
前記屋内位置決めスキームを使用した前記ロケーショントラッキングに基づいて、前記ＵＥが、屋内から屋外への遷移領域の前記セットからの所与の屋内から屋外への遷移領域へ入ったことを検出することと、
前記検出に応答して、屋外位置決めスキームを使用して前記ＵＥのロケーショントラッキングを開始することと
を備える、方法。
【請求項２】
前記ＵＥは、前記屋外位置決めスキームを使用した前記ロケーショントラッキングが開始された後、前記屋内位置決めスキームを使用した前記ロケーショントラッキングを続ける、請求項１に記載の方法。
【請求項３】
前記屋外位置決めスキームに関連する品質が品質しきい値を超えると決定することと、  前記決定に応答して、前記屋外位置決めスキームを使用して前記ロケーショントラッキングを続ける一方、前記屋内位置決めスキームを使用した前記ロケーショントラッキングをやめること
をさらに備える、請求項２に記載の方法。
【請求項４】
前記屋内位置決めスキームを使用した前記ロケーショントラッキングおよび／または前記屋外位置決めスキームを使用した前記ロケーショントラッキングに基づいて、前記ＵＥが、前記所与の屋内から屋外への遷移領域から前記屋内空間へ戻るよう遷移したと決定することと、
前記決定に応答して、前記屋内位置決めスキームを使用した前記ロケーショントラッキングを続けるまたは再び始める一方、前記屋外位置決めスキームを使用した前記ロケーショントラッキングをやめること
をさらに備える、請求項２に記載の方法。
【請求項５】
前記屋外位置決めスキームを使用した前記ロケーショントラッキングを開始することと併せて、前記屋内位置決めスキームを使用した前記ロケーショントラッキングをやめること
をさらに備える、請求項１に記載の方法。
【請求項６】
前記屋外位置決めスキームは衛星測位システム（ＳＰＳ）スキームに対応し、および前記屋内位置決めスキームは、前記屋内空間をサービスするＷｉＦｉアクセスポイント（ＡＰ）に基づくＷｉＦｉベースの位置決めスキームに対応する、請求項１に記載の方法。
【請求項７】
前記遷移領域情報が、前記所与の閉鎖環境に対する前記屋内空間と前記屋外空間との間の屋外から屋内への遷移領域のセットをさらに特徴付ける、請求項１に記載の方法。
【請求項８】
屋内から屋外への遷移領域の前記セットおよび前記屋外から屋内への遷移領域の前記セットが、前記所与の閉鎖環境に対する前記屋内空間と前記屋外空間との間の混合の遷移領域の単一のセットに集合的に対応する、請求項７に記載の方法。
【請求項９】
前記ＵＥの現在のロケーションを特徴付けるロケーション情報を、サーバへ報告すること、をさらに備え、
ここにおいて、前記取得するステップが、前記報告されたロケーション情報と前記所与の閉鎖環境のロケーションとの間の関連に基づいて、前記サーバから前記遷移領域情報を取得する、
請求項１に記載の方法。
【請求項１０】
前記屋外位置決めスキームを使用した前記ＵＥの前記ロケーショントラッキングが、前記屋内または屋外位置決めスキームに関連する品質レベルにかかわらず、前記所与の屋内から屋外への遷移領域への前記ＵＥの検出された進入に基づいて開始される、請求項１に記載の方法。
【請求項１１】
ユーザ装置（ＵＥ）を動作させる方法であって、
所与の閉鎖環境に対する、屋内空間と屋外空間との間の屋外から屋内への遷移領域のセットを特徴付ける遷移領域情報を取得することと、
前記ＵＥが前記屋外空間内で動作している間、屋外位置決めスキームを使用して前記ＵＥのロケーションをトラッキングすることと、
前記屋外位置決めスキームを使用した前記ロケーショントラッキングに基づいて、前記ＵＥが、屋外から屋内への遷移領域の前記セットからの所与の屋外から屋内への遷移領域へ入ったことを検出することと、
前記検出に応答して、屋内位置決めスキームを使用して前記ＵＥのロケーショントラッキングを開始することと
を備える、方法。
【請求項１２】
前記ＵＥは、前記屋内位置決めスキームを使用した前記ロケーショントラッキングが開始された後、前記屋外位置決めスキームを使用した前記ロケーショントラッキングを続ける、請求項１１に記載の方法。
【請求項１３】
前記屋内位置決めスキームに関連する品質が品質しきい値を超えると決定することと、  前記決定に応答して、前記屋内位置決めスキームを使用して前記ロケーショントラッキングを続ける一方、前記屋外位置決めスキームを使用した前記ロケーショントラッキングをやめること
をさらに備える、請求項１２に記載の方法。
【請求項１４】
前記屋内位置決めスキームを使用した前記ロケーショントラッキングおよび／または前記屋外位置決めスキームを使用した前記ロケーショントラッキングに基づいて、前記ＵＥが、前記所与の屋外から屋内への遷移領域から前記屋外空間へ戻るよう遷移したと決定することと、
前記決定に応答して、前記屋外位置決めスキームを使用した前記ロケーショントラッキングを続けるまたは再び始める一方、前記屋内位置決めスキームを使用した前記ロケーショントラッキングをやめること
をさらに備える、請求項１２に記載の方法。
【請求項１５】
前記屋内位置決めスキームを使用した前記ロケーショントラッキングを開始することと併せて、前記屋外位置決めスキームを使用した前記ロケーショントラッキングをやめること
をさらに備える、請求項１１に記載の方法。
【請求項１６】
前記屋外位置決めスキームは衛星測位システム（ＳＰＳ）スキームに対応し、および前記屋内位置決めスキームは、前記屋内空間をサービスするＷｉＦｉアクセスポイント（ＡＰ）に基づくＷｉＦｉベースの位置決めスキームに対応する、請求項１１に記載の方法。
【請求項１７】
前記遷移領域情報が、前記所与の閉鎖環境に対する前記屋内空間と前記屋外空間との間の屋内から屋外への遷移領域のセットをさらに特徴付ける、請求項１１に記載の方法。
【請求項１８】
屋内から屋外への遷移領域の前記セットおよび前記屋外から屋内への遷移領域の前記セットが、前記所与の閉鎖環境に対する前記屋内空間と前記屋外空間との間の混合の遷移領域の単一のセットに集合的に対応する、請求項１７に記載の方法。
【請求項１９】
前記ＵＥの現在のロケーションを特徴付けるロケーション情報を、サーバへ報告すること、をさらに備え、
ここにおいて、前記取得するステップが、前記報告されたロケーション情報と前記所与の閉鎖環境のロケーションとの間の関連に基づいて、前記サーバから前記遷移領域情報を取得する、
請求項１１に記載の方法。
【請求項２０】
前記屋内位置決めスキームを使用した前記ＵＥの前記ロケーショントラッキングが、前記屋内または屋外位置決めスキームに関連する品質レベルにかかわらず、前記所与の屋外から屋内への遷移領域への前記ＵＥの検出された進入に基づいて開始される、請求項１１に記載の方法。
【請求項２１】
ユーザ装置（ＵＥ）であって、
所与の閉鎖環境に対する、屋内空間と屋外空間との間の屋内から屋外への遷移領域のセットを特徴付ける遷移領域情報を取得する手段と、
前記ＵＥが前記屋内空間内で動作している間、屋内位置決めスキームを使用して前記ＵＥのロケーションをトラッキングする手段と、
前記屋内位置決めスキームを使用した前記ロケーショントラッキングに基づいて、前記ＵＥが、屋内から屋外への遷移領域の前記セットからの所与の屋内から屋外への遷移領域へ入ったことを検出する手段と、
前記検出に応答して、屋外位置決めスキームを使用して前記ＵＥのロケーショントラッキングを開始する手段と
を備える、ＵＥ。
【請求項２２】
ユーザ装置（ＵＥ）であって、
所与の閉鎖環境に対する、屋内空間と屋外空間との間の屋外から屋内への遷移領域のセットを特徴付ける遷移領域情報を取得する手段と、
前記ＵＥが前記屋外空間内で動作している間、屋外位置決めスキームを使用して前記ＵＥのロケーションをトラッキングする手段と、
前記屋外位置決めスキームを使用した前記ロケーショントラッキングに基づいて、前記ＵＥが、屋外から屋内への遷移領域の前記セットからの所与の屋外から屋内への遷移領域へ入ったことを検出する手段と、
前記検出に応答して、屋内位置決めスキームを使用して前記ＵＥのロケーショントラッキングを開始する手段と
を備える、ＵＥ。
【請求項２３】
ユーザ装置（ＵＥ）であって、
所与の閉鎖環境に対する、屋内空間と屋外空間との間の屋内から屋外への遷移領域のセットを特徴付ける遷移領域情報を取得するように構成されたロジックと、
前記ＵＥが前記屋内空間内で動作している間、屋内位置決めスキームを使用して前記ＵＥのロケーションをトラッキングするように構成されたロジックと、
前記屋内位置決めスキームを使用した前記ロケーショントラッキングに基づいて、前記ＵＥが、屋内から屋外への遷移領域の前記セットからの所与の屋内から屋外への遷移領域へ入ったことを検出するように構成されたロジックと、
前記検出に応答して、屋外位置決めスキームを使用して前記ＵＥのロケーショントラッキングを開始するように構成されたロジックと
を備える、ＵＥ。
【請求項２４】
ユーザ装置（ＵＥ）であって、
所与の閉鎖環境に対する、屋内空間と屋外空間との間の屋外から屋内への遷移領域のセットを特徴付ける遷移領域情報を取得するように構成されたロジックと、
前記ＵＥが前記屋外空間内で動作している間、屋外位置決めスキームを使用して前記ＵＥのロケーションをトラッキングするように構成されたロジックと、
前記屋外位置決めスキームを使用した前記ロケーショントラッキングに基づいて、前記ＵＥが、屋外から屋内への遷移領域の前記セットからの所与の屋外から屋内への遷移領域へ入ったことを検出するように構成されたロジックと、
前記検出に応答して、屋内位置決めスキームを使用して前記ＵＥのロケーショントラッキングを開始するように構成されたロジックと
を備える、ＵＥ。
【請求項２５】
ユーザ装置（ＵＥ）によって実行されると、前記ＵＥに動作を実行させる命令を記憶した、非一時的なコンピュータ読み取り可能な媒体であって、前記命令は、
前記ＵＥに、所与の閉鎖環境に対する、屋内空間と屋外空間との間の屋内から屋外への遷移領域のセットを特徴付ける遷移領域情報を取得させるための少なくとも１つの命令と、
前記ＵＥに、前記ＵＥが前記屋内空間内で動作している間、屋内位置決めスキームを使用して前記ＵＥのロケーションをトラッキングさせるための少なくとも１つの命令と、
前記ＵＥに、前記屋内位置決めスキームを使用した前記ロケーショントラッキングに基づいて、前記ＵＥが、屋内から屋外への遷移領域の前記セットからの所与の屋内から屋外への遷移領域へ入ったことを検出させるための少なくとも１つの命令と、
前記ＵＥに、前記検出に応答して、屋外位置決めスキームを使用して前記ＵＥのロケーショントラッキングを開始させるための少なくとも１つの命令と
を備える、非一時的なコンピュータ読み取り可能な媒体。
【請求項２６】
ユーザ装置（ＵＥ）によって実行されると、前記ＵＥに動作を実行させる命令を記憶した、非一時的なコンピュータ読み取り可能な媒体であって、前記命令は、
前記ＵＥに、所与の閉鎖環境に対する、屋内空間と屋外空間との間の屋外から屋内への遷移領域のセットを特徴付ける遷移領域情報を取得させるための少なくとも１つの命令と、
前記ＵＥに、前記ＵＥが前記屋外空間内で動作している間、屋外位置決めスキームを使用して前記ＵＥのロケーションをトラッキングさせるための少なくとも１つの命令と、
前記ＵＥに、前記屋外位置決めスキームを使用した前記ロケーショントラッキングに基づいて、前記ＵＥが、屋外から屋内への遷移領域の前記セットからの所与の屋外から屋内への遷移領域へ入ったことを検出させるための少なくとも１つの命令と、
前記ＵＥに、前記検出に応答して、屋内位置決めスキームを使用して前記ＵＥのロケーショントラッキングを開始させるための少なくとも１つの命令と
を備える、非一時的なコンピュータ読み取り可能な媒体。
【発明の詳細な説明】
【米国特許法第１１９条に基づく優先権の主張】
【０００１】
[0001]  本特許出願は、譲渡人に譲渡され、参照によってここに明示的に組み込まれる、「CHANGING A POSITION DETERMINATION SCHEME USED BY A USER EQUIPMENT DURING A TRANSITION BETWEEN INDOOR AND OUTDOOR SPACES RELATIVE TO AN ENCLOSED ENVIRONMENT」と題され２０１２年１０月２２日に出願された、仮出願第６１／７１６、８４１号に優先権を主張する。
【技術分野】
【０００２】
[0002]  本発明の実施形態は、ある閉鎖環境に対する屋内空間と屋外空間との間での遷移の間、ユーザ装置（ＵＥ）によって使用される位置決定スキーム（position determination scheme）を変更することに関する。
【関連出願の説明】
【０００３】
[0003]  クライアントデバイス（例えば、セルフォンのようなモバイルデバイス）が、それらのロケーションを算出するための１つより多くの位置決め（positioning）メカニズム（または位置決定スキーム）を備えていることは、典型的である。例えば、モバイルデバイスは、グローバルポジショニングシステム（ＧＰＳ）、地上セルラ局（terrestrial cellular station）、ＧＰＳと地上セルラの混合、無線周波数（ＲＦ）フィンガ―プリント法（fingerprinting）、ＷｉＦｉ（登録商標）ポジショニング、フォワードリンク三辺測量（ＦＬＴ：forward link trilateration）、アドバンスドＦＬＴ（ＡＦＬＴ）等のような衛星測位システム（ＳＰＳ）を使用することができる。ある特定の位置決定スキームは、屋外の環境（outdoor environment）（例えば、ＳＰＳ、ＧＰＳ等）により適している一方、他の位置決めスキームは、屋内の環境（indoor environment）（例えば、ＷｉＦｉポジショニング等）により適している。しかしながら、屋内空間と屋外空間との間での遷移の間、複数の位置決定スキーム間を効率的に遷移することは難しい可能性がある。１つの選択肢は、例えば、モバイル局が屋内空間と屋外空間との間で遷移する際、少なくとも１つの適切な位置決定スキームが利用可能であるように、ＧＰＳとＷｉＦｉ位置決定スキームとの両方を常にオンにすることである。しかしながら、位置決定スキームのどちらもを無差別にオンにしたままにしておくことは、モバイル局のバッテリ寿命を低下させる可能性がある。
【発明の概要】
【０００４】
[0004]  ある実施形態では、ユーザ装置（ＵＥ）は、閉鎖環境の内部または外部で動作する間、第１の位置決めスキーム（ＰＳ：positioning scheme）（例えば、屋内のＰＳまたは屋外のＰＳ）を使用して、それのロケーションをトラッキングし、それによってＵＥは、その閉鎖環境の１つ以上の屋外から屋内への（ＯＩ：outdoor-to-indoor）および／または屋内から屋外への（ＩＯ：indoor-to-outdoor）遷移領域（transition region）を特徴付ける、その閉鎖環境に関係する遷移領域情報を保持する（maintain）。ＵＥが、第１のＰＳを使用したそれのロケーショントラッキングに基づいて、それがその閉鎖環境の遷移領域へ入ったと決定する場合、ＵＥは、第２のＰＳを使用してそれのロケーションをトラッキングすることを始める。第２のＰＳの品質がしきい値を超える場合（例えば、ＵＥがその閉鎖環境のさらに内部または外部に移動する等のような）、ＵＥは第２のＰＳへ切り替えて、第１のＰＳを止める（turn off）ことができる。
【０００５】
[0005]  本発明の実施形態およびそれに付随する利点の多くについてのより完全な理解は、本発明を限定するのではなくその例示のためのみに提示される添付の図面に関連して考慮された際、続く詳細な説明を参照することによってその内容がよく理解されるようになるので、容易に得られることになるだろう。
【図面の簡単な説明】
【０００６】
【図１】[0006]  図１は、本発明の実施形態に従って、ワイヤレス通信システムのハイレベルシステムアーキテクチャを例示する。
【図２】[0007]  図２は、本発明の実施形態に従って、ユーザ装置（ＵＥ）の複数の例を例示する。
【図３】[0008]  図３は、本発明の実施形態に従って、図２のＵＥに接続されることができる複数の異なる位置決定システムを例示する。
【図４】[0009]  図４は、本発明の実施形態に従って、機能性を実施するように構成されるロジックを含む通信デバイスを例示する。
【図５】[0010]  図５は、本発明の実施形態に従って、ある閉鎖環境（または建物）に関する屋内から屋外への遷移領域および／または屋外から屋内への遷移領域に関連した情報が生成され、そしてターゲットＵＥのセットへ選択的に分配されることができるプロセスを例示する。
【図６Ａ】[0011]  図６Ａは、図５のオペレータＵＥによって測定されることができる閉鎖環境の例を例示する。
【図６Ｂ】[0012]  図６Ｂは、本発明の実施形態に従って、図６Ａの閉鎖環境に関する屋内から屋外への遷移領域が、どのように遷移領域データベース内で構成されることができるかの例を例示する。
【図６Ｃ】[0014]  図６Ｃは、本発明の実施形態に従って、図６Ａの閉鎖環境に関する屋外から屋内への遷移領域が、どのように遷移領域データベース内で構成されることができるかの例を例示する。
【図６Ｄ】[0015]  図６Ｄは、本発明の実施形態に従って、図６Ａの閉鎖環境に関する屋内から屋外への遷移領域と屋外から屋内への遷移領域との組み合わせが、どのように遷移領域データベース内で構成されることができるかの例を例示する。
【図７】[0016]  図７は、本発明の実施形態に従って、特定の閉鎖環境（例えば、建物）に対する屋内空間と屋外空間との間での遷移の間、所与のＵＥによって使用される位置決定スキームを動的に変更するプロセスを対象とする。
【図８】[0017]  図８は、本発明の実施形態に従って、図６Ｄの屋内から屋外への遷移領域と屋外から屋内への遷移領域との組み合わせに関する図７のプロセスの例示的な実現を例示する。
【詳細な説明】
【０００７】
[0018]  本発明の態様は、本発明の特定の実施形態を対象とした関連する図および続く説明に開示される。代替の実施形態が本発明の範囲から逸脱することなく考案され得る。さらに、本発明の周知のエレメントは、本発明の関連する詳細を不明瞭にすることを避けるために、詳細に説明されないか、省略される。
【０００８】
[0019]  「例示的な（exemplary）」および／または「例」という用語は、ここで、「例、実例、または例示として役立つ」という意味で使用される。「例示的な」および／または「例」としてここに説明される何れの実施形態も、必ずしも、他の実施形態よりも好ましいまたは有益であると解釈されるべきではない。同様に、「本発明の実施形態」という用語は、本発明の全ての実施形態が、その説明される特徴、利点または動作のモードを含むことを必要としない。
【０００９】
[0020]  さらに、多くの実施形態は、例えば、コンピューティングデバイスのエレメントによって実施されることになる一連のアクションの観点から説明されている。ここに説明される様々なアクションは、特定の回路（例えば、特定用途向け集積回路（ＡＳＩＣ））によって、１つ以上のプロセッサによって実行されるプログラム命令によって、またはその両方の組み合わせによって、実施されることができることが、認識されるだろう。さらに、ここに説明されるこれらの一連のアクションは、実行されると、関連するプロセッサにここに説明された機能性を実施させるコンピュータ命令の対応するセットを記憶した、任意の形態のコンピュータ読み取り可能な記憶媒体内に、全体が具現化されると考えられることができる。したがって、本発明の様々な態様は、いくつかの異なる形態で具現化され得、それらの全ては、特許請求された主題事項の範囲内として考慮されている。加えて、ここに説明された実施形態の各々に関して、任意のそのような実施形態の対応する形態は、例えば、説明されるアクションを実施「するように構成されるロジック」としてここに説明され得る。
【００１０】
[0021]  ここにおいて、ユーザ装置（ＵＥ）と称されるクライアントデバイスは、モバイルまたは固定性であり得、無線アクセスネットワーク（ＲＡＮ）と通信し得る。ここで使用される場合、「ＵＥ」という用語は、「アクセス端末」または「ＡＴ」、「ワイヤレスデバイス」、「加入者デバイス」、「加入者端末」、「加入者局」、「ユーザ端末」またはＵＴ、「モバイル端末」、「モバイル局」、およびそれらの変形と交換可能に称され得る。一般に、ＵＥは、ＲＡＮを介してコアネットワークと通信することができ、そしてコアネットワークを通じてＵＥは、インターネットのような外部ネットワークに接続することができる。もちろん、有線のアクセスネットワーク、ＷｉＦｉネットワーク（例えば、ＩＥＥＥ８０２．１１等に基づく）等を介するなど、インターネットおよび／またはコアネットワークに接続する他のメカニズムもまた、ＵＥにとって可能である。ＵＥは、ＰＣカード、コンパクトフラッシュ（登録商標）デバイス、外部または内部のモデム、ワイヤレスまたは有線電話等に限定されるわけではないが、それらを含む、いくつかのタイプのデバイスのうちの何れによっても具現化されることができる。ＵＥがそれを通じてＲＡＮに信号を送ることができる通信リンクは、アップリンクチャネル（例えば、リバーストラヒックチャネル、リバース制御チャネル、アクセスチャネル等）と呼ばれる。ＲＡＮがそれを通じてＵＥに信号を送ることができる通信リンクは、ダウンリンクまたはフォワードリンクチャネル（例えば、ページングチャネル、制御チャネル、ブロードキャストチャネル、フォワードトラヒックチャネル等）と呼ばれる。ここで使用される場合、トラヒックチャネル（ＴＣＨ）という用語は、アップリンク／リバースまたはダウンリンク／フォワードトラヒックチャネルのいずれかで呼ばれることができる。
【００１１】
[0022]  図１は、本発明の実施形態に従って、ワイヤレス通信システム１００のハイレベルシステムアーキテクチャを例示する。ワイヤレス通信システム１００は、複数のＵＥ１…Ｎを含む。それらＵＥ１…Ｎは、セルラ電話、携帯情報端末（ＰＤＡ）、ページャ、ラップトップコンピュータ、デスクトップコンピュータ等を含むことができる。例えば、図１では、ＵＥ１…２はセルラ式発信電話（cellular calling phone）として例示され、ＵＥ３…５は、セルラ式タッチスクリーン電話またはスマートフォンとして例示され、ＵＥ Ｎは、デスクトップコンピュータまたはＰＣとして例示される。
【００１２】
[0023]  図１に関して、ＵＥ１…Ｎは、エアインタフェース１０４、１０６、１０８のような図１に示された物理通信インタフェースまたはレイヤ、および／または直接的な有線接続を通じて、アクセスネットワーク（例えば、ＲＡＮ１２０、アクセスポイント１２５等）と通信するように構成される。エアインタフェース１０４および１０６は、所与のセルラ通信プロトコル（例えば、ＣＤＭＡ、ＥＶＤＯ、ｅＨＲＰＤ、ＧＳＭ（登録商標）、ＥＤＧＥ、Ｗ−ＣＤＭＡ（登録商標）、ＬＴＥ（登録商標）等）に準拠することができ、一方エアインタフェース１０８は、ワイヤレスＩＰプロトコル（例えば、ＩＥＥＥ ８０２．１１）に準拠することができる。ＲＡＮ１２０は、エアインタフェース１０４および１０６のようなエアインタフェースを通じてＵＥをサービスする複数のアクセスポイントを含む。ＲＡＮ１２０中のアクセスポイントは、アクセスノードまたはＡＮ、アクセスポイントまたはＡＰ、基地局またはＢＳ、ノードＢ、ｅノードＢ等と称されることができる。これらのアクセスポイントは、地上アクセスポイント（terrestrial access point）（または地上局（ground station））、あるいは衛星アクセスポイントであることができる。ＲＡＮ１２０は、ＲＡＮ１２０によってサービスされる複数のＵＥと、ＲＡＮ１２０または異なるＲＡＮによって全体としてサービスされる他の複数のＵＥとの間の回路交換（ＣＳ）呼（circuit switched (CS) call）をブリッジすることを含む多様な機能を実施することができ、またインターネット１７５のような外部ネットワークとのパケット交換（ＰＳ）データの交換を仲介（mediate）することもできる、コアネットワーク１４０へ接続するように構成される。インターネット１７５は、いくつかのルーティングエージェントおよび処理エージェント（便宜上、図１には示されていない）を含む。図１では、ＵＥ  Ｎは、インターネット１７５に直接的に（すなわち、ＷｉＦｉまたは８０２．１１ベースのネットワークのイーサネット（登録商標）接続を通じてなど、コアネットワーク１４０とは分離して）接続されるように示されている。インターネット１７５は、それにより、コアネットワーク１４０を介してＵＥ  ＮとＵＥ１…Ｎとの間でパケット交換データ通信をブリッジする働きをすることができる。図１にまた示されているように、ＲＡＮ１２０とは分離したアクセスポイント１２５が示される。アクセスポイント１２５は、（例えば、ＦｉＯＳ、ケーブルモデムのような光通信システムを通じて）コアネットワーク１４０から独立してインターネット１７５へ接続され得る。エアインタフェース１０８は、ある例では、ＩＥＥＥ８０２．１１のようなローカルワイヤレス接続を通じてＵＥ４またはＵＥ５をサービスし得る。ＵＥ  Ｎは、ある例（例えば、有線およびワイヤレスの両方の接続性を有するＷｉＦｉルータに関する）ではアクセスポイント１２５自体に対応することができる、モデムまたはルータへの直接的な接続のようなインターネット１７５への有線接続を備えるデスクトップコンピュータとして示される。
【００１３】
[0024]  図１に関して、サーバ１７０は、インターネット１７５、コアネットワーク１４０、またはその両方へ接続されるよう示される。サーバ１７０は、複数の、構造的に別々のサーバとして実現されることができるか、または交替で、単一のサーバに対応し得る。以下にさらに詳細に説明されるように、サーバ１７０は、コアネットワーク１４０および／またはインターネット１７５を介してサーバ１７０へ接続することができるＵＥに関する１つ以上の通信サービス（例えば、ボイスオーバインターネットプロトコル（ＶｏＩＰ）セッション、プッシュトーク（ＰＴＴ：Push-to-Talk）セッション、グループ通信セッション、ソーシャルネットワークサービス等）をサポートするように、および／またはＵＥへコンテンツ（例えば、ウェブページダウンロード）を提供するように、構成される。
【００１４】
[0025]  図２は、本発明の実施形態に従って、ＵＥ（すなわち、クライアントデバイス）の例を例示する。図２に関して、ＵＥ３００Ａは発信電話（calling telephone）として例示され、ＵＥ３００Ｂは、タッチスクリーンデバイス（例えば、スマートフォン、タブレットコンピュータ等）として例示される。図２に示されるように、ＵＥ３００Ａの外部ケーシング（external casing）は、当技術において知られているように、他のコンポーネントの中でもとりわけ、アンテナ３０５Ａ、ディスプレイ３１０Ａ、少なくとも１つのボタン３１５Ａ、（例えば、ＰＴＴボタン、電源ボタン、音量調節ボタン等）およびキーパッド３２０Ａで構成される。また、ＵＥ３００Ｂの外部ケーシングは、当技術において知られているように、他のコンポーネントの中でもとりわけ、タッチスクリーンディスプレイ３０５Ｂ、周辺ボタン（peripheral button）３１０Ｂ、３１５Ｂ、３２０Ｂおよび３２５Ｂ（例えば、電力制御ボタン、音量または振動制御ボタン、エアプレインモードトグルボタン等）、少なくとも１つのフロントパネルボタン３３０Ｂ（例えば、ホームボタン等）で構成される。ＵＥ３００Ｂの一部として明確に示されてはいないが、ＵＥ３００Ｂは、１つ以上の外部のアンテナ、および／または、ＷｉＦｉアンテナ、セルラアンテナ、衛星位置決めシステム（ＳＰＳ）アンテナ（例えば、グローバルポジショニングシステム（ＧＰＳ）アンテナ）等に限定されるわけではないが、それらを含むＵＥ３００Ｂの外部ケーシングに組み込まれている１つ以上の統合されたアンテナ（integrated antenna）を含むことができる。
【００１５】
[0026]  ＵＥ３００Ａおよび３００ＢのようなＵＥの内部コンポーネントは、異なるハードウェア構成で具現化されることができるが、内部ハードウェアコンポーネントに関するある基本的なハイレベルＵＥ構成が図２においてプラットフォーム３０２として示される。プラットフォーム３０２は、根本的にはコアネットワーク１４０、インターネット１７５および／または他のリモートサーバおよびネットワーク（例えば、アプリケーションサーバ１７０、ウェブＵＲＬ等）からもたらされ得る（ultimately come from）、ＲＡＮ１２０から送信されるソフトウェアアプリケーション、データおよび／またはコマンドを受信および実行することができる。プラットフォーム３０２はまた、ＲＡＮとの相互作用（RAN interaction）なしに、ローカルに記憶されたアプリケーションを独立して実行することもできる。プラットフォーム３０２は、衛星測位システム（ＳＰＳ）受信機３０６（例えば、ＧＰＳ信号のようなＳＰＳ信号を検出するための）、少なくとも１つのセルラトランシーバ３０７Ａ（例えば、１つ以上のセルラネットワークと通信するための）、およびＷｉＦｉトランシーバ３０７Ｂ（例えば、ＷｉＦｉネットワークと通信するための）を含むことができる。３０６、３０７Ａおよび３０７Ｂの各々は、特定用途向け集積回路（ＡＳＩＣ）３０８または他のプロセッサ、マイクロプロセッサ、ロジック回路、あるいは他のデータ処理デバイスに動作可能に結合される。Ｂｌｕｅｔｏｏｔｈ（登録商標）トランシーバ等のような他のトランシーバまたは受信機もまた、プラットフォーム３０２に含まれ得る。ＡＳＩＣ３０８または他のプロセッサは、ワイヤレスデバイスのメモリ３１２内の何らかの常駐プログラム（resident program）とインタフェースをとるアプリケーションプログラミングインタフェース（ＡＰＩ：application programming interface）３１０レイヤを実行する。メモリ３１２は、読み取り専用またはランダムアクセスメモリ（ＲＡＭおよびＲＯＭ）、ＥＥＰＲＯＭ（登録商標）、フラッシュカードまたはコンピュータプラットフォームに共通の任意のメモリから成ることができる。プラットフォーム３０２はまた、メモリ３１２内でアクティブに使用されていないアプリケーション並びに他のデータを記憶することができるローカルデータベース３１４を含むことができる。ローカルデータベース３１４は、典型的にはフラッシュメモリセルであるが、磁気媒体、ＥＥＰＲＯＭ、光媒体、テープ、ソフトまたはハードディスクあるいはその同等物のような、当技術で知られているどのような二次的な記憶デバイスであることもできる。
【００１６】
[0027]  したがって、本発明の実施形態は、ここに説明された機能を実行するための能力を含むＵＥ（例えば、ＵＥ３００Ａ３００Ｂ等）を含むことができる。当業者が認識するように、様々なロジックエレメントは、個別のエレメント、プロセッサ上で実行されるソフトウェアモジュール、あるいはここに開示された機能性を達成するためのソフトウェアおよびハードウェアの任意の組み合わせにおいて具現化されることができる。例えば、ＡＳＩＣ３０８、メモリ３１２、ＡＰＩ３１０およびローカルデータベース３１４はすべて、ここに開示された様々な機能をロード、記憶および実行するために協調的に（cooperatively）使用され得、したがって、これらの機能を実施するためのロジックは、様々なエレメントにわたって分配され得る。代替的に、機能性は、１つの個別のコンポーネントに組み込まれ得る。故に、図２におけるＵＥ３００Ａおよび３００Ｂの特徴は、単なる例示に過ぎないとみなされるべきであり、本発明は、例示された特徴または配置（arrangement）に限定されない。
【００１７】
[0028]  ＵＥ３００Ａおよび／または３００ＢとＲＡＮ１２０との間のワイヤレス通信は、ＣＤＭＡ、Ｗ−ＣＤＭＡ、時分割多元接続（ＴＤＭＡ）、周波数分割多元接続（ＦＤＭＡ）、直交周波数分割多重（ＯＦＤＭ）、ＧＳＭ、またはワイヤレス通信ネットワークまたはデータ通信ネットワークにおいて使用され得る他のプロトコルのような、異なる技術に基づくことができる。上で説明したように、および当技術で知られているように、音声送信および／またはデータは、多様なネットワークおよび構成を用いて、ＲＡＮからＵＥへ送信されることができる。したがって、ここに提供される例示は、本発明の実施形態を限定するように意図されたものではなく、単に本発明の実施形態の態様の説明に役立つものである。
【００１８】
[0029]  図３は、本発明の実施形態に従って、図２のＵＥ３０５Ｂに接続されることができる異なる位置決定システムを例示する。特に、ＷｉＦｉ位置決定システムは、図３にＷｉＦｉ  ＡＰ１…Ｎで表され、ＳＰＳ位置決定システムは、図３にＳＰＳ衛星１…Ｎで表される。ＡＰ１および２は、建物３５０内に位置する（positioned）ように示され、よって、「屋内」ＡＰと特徴付けられることができるのに対して、ＡＰ  Ｎ並びに衛星１…Ｎは、「屋外」エンティティである。
【００１９】
[0030]  図４は、機能性を実施するように構成されるロジックを含む通信デバイス４００を例示する。通信デバイス４００は、ＵＥ３００Ａまたは３００Ｂ、ＲＡＮ１２０の任意のコンポーネント、コアネットワーク１４０の任意のコンポーネント、コアネットワーク１４０および／またはインターネット１７５に結合された任意のコンポーネント（例えば、サーバ１７０）等に限定されるわけではないが、それらを含む、上述された通信デバイスのうちの何れにも対応することができる。したがって、通信デバイス４００は、図１のワイヤレス通信システム１００を介して１つ以上の他のエンティティと通信する（またはそれらとの通信を容易にする）ように構成される何れの電子デバイスにも対応することができる。
【００２０】
[0031]  図４に関して、通信デバイス４００は、情報を受信および／または送信するように構成されるロジック４０５を含む。ある例では、通信デバイス４００がワイヤレス通信デバイス（例えば、ＵＥ３００Ａまたは３００Ｂ、ＡＰ１２５、ＢＳ、ＲＡＮ１２０におけるｅノードＢまたはノードＢ等）に対応する場合、情報を受信および／または送信するように構成されるロジック４０５は、ワイヤレストランシーバおよび関連するハードウェア（例えば、ＲＦアンテナ、ＭＯＤＥＭ、変調器および／または復調器等）のようなワイヤレス通信インタフェース（例えば、Ｂｌｕｅｔｏｏｔｈ、ＷｉＦｉ、２Ｇ、ＣＤＭＡ、Ｗ−ＣＤＭＡ、３Ｇ、４Ｇ、ＬＴＥ等）を含むことができる。別の例では、情報を受信および／または送信するように構成されるロジック４０５は、有線通信インタフェース（例えば、直列接続、ＵＳＢまたはＦｉｒｅｗｉｒｅ接続、インターネット１７５にアクセスすることができるイーサネット接続等）に対応することができる。したがって、通信デバイス４００があるタイプのネットワークベースのサーバ（例えば、サーバ１７０等）に対応する場合、情報を受信および／または送信するように構成されるロジック４０５は、ある例では、イーサネットプロトコルを通じて他の通信エンティティへネットワークベースのサーバを接続するイーサネットカードに対応することができる。さらなる例では、情報を受信および／または送信するように構成されるロジック４０５は、通信デバイス４００がそれのローカル環境をモニタすることができるようにする知覚または測定ハードウェア（sensory or measurement hardware）（例えば、加速度計、温度センサ、光センサ、ローカルＲＦ信号をモニタするためのアンテナ等）を含むことができる。情報を受信および／または送信するように構成されるロジック４０５はまた、実行されると、情報を受信および／または送信するように構成されるロジック４０５の関連するハードウェアに、それの受信および／または送信機能（１つまたは複数の）を実施することを許可するソフトウェアを含むことができる。しかしながら、情報を受信および／または送信するように構成されるロジック４０５は、ソフトウェア単独には対応せず、情報を受信および／または送信するように構成されるロジック４０５は、それの機能性を達成するために、少なくとも部分的にハードウェアに依存する。
【００２１】
[0032]  図４に関して、通信デバイス４００は、情報を処理するように構成されるロジック４１０をさらに含む。ある例では、情報を処理するように構成されるロジック４１０は、少なくとも１つのプロセッサを含むことができる。情報を処理するように構成されるロジック４１０によって実施されることができるタイプの処理の例示的な実現は、決定を実施すること、接続を確立すること、異なる情報オプションの間で選択を行うこと、データに関係する評価を実施すること、測定動作を実施するために通信デバイス４００へ結合されたセンサとインタラクトすること、１つのフォーマットから別のフォーマットへ情報を変換すること（例えば、．ｗｍｖから．ａｖｉ等のような異なるプロトコル間で）等に限定されるわけではないがそれらを含む。例えば、情報を処理するように構成されるロジック４１０に含まれるプロセッサは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、ディスクリートゲートまたはトランジスタ論理、ディスクリートハードウェアコンポーネント、あるいはここに説明された機能を実施するために設計されたそれらの任意の組み合わせに対応することができる。汎用プロセッサは、マイクロプロセッサであり得るが、別の方法では、プロセッサは、任意の従来のプロセッサ、コントローラ、マイクロコントローラ、またはステートマシンであり得る。プロセッサはまた、コンピューティングデバイスの組み合わせ、例えば、ＤＳＰと１つのマイクロプロセッサ、複数のマイクロプロセッサ、ＤＳＰコアと連結した１つ以上のマイクロプロセッサ、または任意の他のそのような構成、との組み合わせとしても実装され得る。情報を処理するように構成されるロジック４１０はまた、実行されると、情報を処理するように構成されるロジック４１０の関連するハードウェアに、それの処理機能（１つまたは複数の）を実施させることを許可するソフトウェアを含むことができる。しかしながら、情報を処理するように構成されるロジック４１０は、ソフトウェア単独には対応せず、情報を処理するように構成されるロジック４１０は、それの機能性を達成するために、少なくとも部分的にハードウェアに依存する。
【００２２】
[0033]  図４に関して、通信デバイス４００は、情報を記憶するように構成されるロジック４１５をさらに含む。ある例では、情報を記憶するように構成されるロジック４１５は、少なくとも非一時的なメモリおよび関連するハードウェア（例えば、メモリコントローラ等）を含むことができる。例えば、情報を記憶するように構成されるロジック４１５に含まれる非一時的なメモリは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当技術で知られている任意の他の形態の記憶媒体に対応することができる。情報を記憶するように構成されるロジック４１５はまた、実行されると、情報を記憶するように構成されるロジック４１５の関連するハードウェアに、それの記憶機能（１つまたは複数の）を実施することを許可するソフトウェアを含むことができる。しかしながら、情報を記憶するように構成されるロジック４１５は、ソフトウェア単独には対応せず、情報を記憶するように構成されるロジック４１５は、それの機能性を達成するために少なくとも部分的にハードウェアに依存する。
【００２３】
[0034]  図４に関して、通信デバイス４００は、さらにオプションとして、情報を提示するように構成されるロジック４２０を含む。ある例では、情報を提示するように構成されるロジック４２０は、少なくとも出力デバイスおよび関連するハードウェアを含むことができる。例えば、出力デバイスは、ビデオ出力デバイス（例えば、ディスプレイスクリーン、ＵＳＢやＨＤＭＩ（登録商標）等のようなビデオ情報を運ぶことができるポート）、音声出力デバイス（例えば、スピーカ、マイクロフォンジャックやＵＳＢやＨＤＭＩ等のような音声情報を運ぶことができるポート）、バイブレーションデバイスおよび／または、それによって情報を出力のためにフォーマット化するか通信デバイス４００のユーザまたはオペレータが実際に出力することができる、任意の他のデバイスを含むことができる。例えば、通信デバイス４００が図２に示されるＵＥ３００ＡまたはＵＥ３００Ｂに対応する場合、情報を提示するように構成されるロジック４２０は、ＵＥ３００Ａのディスプレイ３１０ＡまたはＵＥ３００Ｂのタッチスクリーンディスプレイ３０５Ｂを含むことができる。さらなる例では、情報を提示するように構成されるロジック４２０は、ローカルユーザ（例えば、ネットワークスイッチまたはルータ、サーバ１７０のようなリモートサーバ等）を有さないネットワーク通信デバイスのような、ある特定の通信デバイスについて除外されることができる。情報を提示するように構成されるロジック４２０はまた、実行されると、情報を提示するように構成されるロジック４２０の関連するハードウェアに、それの提示機能（１つまたは複数の）を実施することを許可するソフトウェアを含むことができる。しかしながら、情報を提示するように構成されるロジック４２０は、ソフトウェア単独には対応せず、情報を提示するように構成されるロジック４２０は、それの機能性を達成するために、少なくとも部分的にハードウェアに依存する。
【００２４】
[0035]  図４に関して、通信デバイス４００は、さらにオプションとして、ローカルユーザ入力を受信するように構成されるロジック４２５を含む。ある例では、ローカルユーザ入力を受信するように構成されるロジック４２５は、少なくともユーザ入力デバイスおよび関連するハードウェアを含むことができる。例えば、ユーザ入力デバイスは、ボタン、タッチスクリーンディスプレイ、キーボード、カメラ、音声入力デバイス（例えば、マイクロフォンまたはマイクロフォンジャック等のような音声情報を運ぶポート）、および／または、情報を通信デバイス４００のユーザまたはオペレータから受信することができる任意の他のデバイスを含むことができる。例えば、通信デバイス４００が、図２に示されるＵＥ３００ＡまたはＵＥ３００Ｂに対応する場合、ローカルユーザ入力を受信するように構成されるロジック４２５は、キーパッド３２０Ａ、ボタン３１５Ａまたは３１０Ｂから３２５Ｂのうちの任意のもの、タッチスクリーンディスプレイ３０５Ｂ等を含むことができる。さらなる例では、ローカルユーザ入力を受信するように構成されるロジック４２５は、ローカルユーザ（例えば、ネットワークスイッチまたはルータ、サーバ１７０のようなリモートサーバ等）を有さないネットワーク通信デバイスのような、ある特定の通信デバイスについて除外されることができる。ローカルユーザ入力を受信するように構成されるロジック４２５はまた、実行されると、ローカルユーザ入力を受信するように構成されるロジック４２５の関連するハードウェアに、それの入力受信機能（１つまたは複数の）を実施させることを許可するソフトウェアを含むことができる。しかしながら、ローカルユーザ入力を受信するように構成されるロジック４２５は、ソフトウェア単独には対応せず、ローカルユーザ入力を受信するように構成されるロジック４２５は、それの機能性を達成するために、少なくとも部分的にハードウェアに依存する。
【００２５】
[0036]  図４に関して、４０５から４２５の構成されたロジックは、図４に個別のまたは区別されたブロックとして示されているが、それぞれの構成されたロジックがそれの機能性を実施するハードウェアおよび／またはソフトウェアは、部分的にオーバーラップすることができることは認識されるだろう。例えば、４０５から４２５の構成されたロジックの機能性を容易にするために使用される任意のソフトウェアは、情報を記憶するように構成されるロジック４１５に関連する非一時的なメモリに記憶されることができ、それにより、４０５から４２５の構成されたロジックは各々、情報を記憶するように構成されるロジック４１５に記憶されたソフトウェアの動作に部分的に基づいて、それらの機能性（すなわち、この場合、ソフトウェア実行）を実施する。同様に、それらの構成されたロジックのうちの１つに直接的に関連するハードウェアは、時には他の構成されたロジックによって借用または使用されることができる。例えば、情報を処理するように構成されるロジック４１０のプロセッサは、情報を受信および／または送信するように構成されるロジック４０５によって送信される前に、ふさわしい形式にデータをフォ―マット化することができ、それによって、情報を受信および／または送信するように構成されるロジック４０５は、情報を処理するように構成されるロジック４１０に関連するハードウェア（すなわち、プロセッサ）の動作に部分的に基づいて、それの機能性（すなわち、この場合、データの送信）を実施することができる。
【００２６】
[0037]  一般に、そうではないと明確に述べられない限り、本開示全体を通して使用される「〜するように構成されるロジック」というフレーズは、少なくとも部分的にハードウェアを用いて実現される実施形態を連想させるよう意図されたものであり、ハードウェアから独立したソフトウェアのみの実現を計画する（map）よう意図されたものではない。また、様々なブロックにおける、構成されたロジックまたは「〜するように構成されるロジック」は、特定のロジックゲートまたはエレメントに限定するものではなく、（ハードウェアまたはハードウェアとソフトウェアの組み合わせのいずれかによって）ここに説明された機能性を実施するための能力を一般に称していることは認識されるだろう。したがって、様々なブロックで例示された、構成されたロジックまたは「〜するように構成されるロジック」は、「ロジック」という用語を共有してはいるものの、必ずしもロジックゲートまたはロジックエレメントとして実現されるわけではない。様々なブロックにおけるロジック間の他のインタラクションまたは連携は、以下に、より詳細に説明される実施形態の再検討によって、当業者に明らかになるだろう。
【００２７】
[0038]  図５は、本発明の実施形態に従って、ある閉鎖環境（または建物）に関する屋内から屋外への遷移領域および／または屋外から屋内への遷移領域に関連した情報を生成し、ターゲットＵＥのセットへ選択的に分配するプロセスを例示する。図５に関して、閉鎖環境は、その閉鎖環境に対する屋内空間と屋外空間との間に、インフラストラクチャーによる事実上の仕切り（substantial partition）があるならば、完全に閉鎖されている必要はない（例えば、それの窓のいつくかは開いていてもよい等）。
【００２８】
[0039]  図５に関して、オペレータは、屋内から屋外への遷移領域、屋外から屋内への遷移領域、またはその両方を特徴付けるロケーション情報を測定するために、閉鎖環境のすぐ近くに（in proximity to）ナビゲート（navigate）する５００。例えば、オペレータＵＥは、閉鎖環境の敷地（premise）（または建物）のオペレータによって制御されるＵＥに対応し得るか、または代替的にアプリケーションサーバ１７０に関連するデバイスに対応することができる。例として、５００において、オペレータＵＥのユーザは、閉鎖環境の入口と出口を識別し得、オペレータＵＥと共にこれらの入口と出口へ歩き、（例えば、オペレータＵＥによってＷｉＦｉ位置決定システムに関して測定された際）これらのロケーションに接近して（in proximity to）ロケーション情報をログ記録（log）し得る。
【００２９】
[0040]  図６Ａは、図５の５００でオペレータＵＥによって測定されることができる閉鎖環境の例を例示する。図６Ａでは、閉鎖環境は、６００Ａ、６０５Ａおよび６１０Ａで示される３か所の出入口（three points of entry and exit）を有する、オフィスビルのあるフロアに対応する。これらの出入口の箇所は、図６Ａにおいて戸口（doorway）に対応するように示されているが、出入口の代替の箇所は、窓か、あるいは人（individual）にその閉鎖環境に入るまたはそこから出ることを許すことができる他のエリアに対応することができる。
【００３０】
[0041]  図５に戻ると、屋内から屋外への遷移領域、屋外から屋内への遷移領域、またはその両方を特徴付けるロケーション情報を測定した後に、オペレータＵＥは、測定されたロケーション情報をアプリケーションサーバ１７０へ送信し５０５、アプリケーションサーバ１７０は測定されたロケーション情報を遷移領域データベースへ追加する５１０。遷移領域データベースは、単にオペレータＵＥによって５００で測定された閉鎖環境のみならず、複数の閉鎖環境に関する複数の屋内から屋外への遷移領域および／または複数の屋外から屋内への遷移領域を含むことができる。
【００３１】
[0042]  図６Ｂ−６Ｄは、図６Ａのオフィス空間に関する屋内から屋外への遷移領域および／または屋外から屋内への遷移領域が、５１０における遷移領域データベース内でどのように構成されることができるかの例を例示する。図６Ｂでは、屋内から屋外への遷移領域６００Ｂ、６０５Ｂおよび６１０Ｂは、図６Ａの戸口６００Ａ、６０５Ａおよび６１０Ａのすぐ近くの、オフィス空間の屋内エリアの実質的範囲内（substantially within）にあるように示される。図６Ｃでは、屋外から屋内への遷移領域６００Ｃ、６０５Ｃおよび６１０Ｃは、図６Ａの戸口６００Ａ、６０５Ａおよび６１０Ａのすぐ近くの、オフィス空間の屋外エリアの実質的範囲内にあるように示される。図６Ｄでは、図６Ｂの屋内から屋外への遷移領域と屋外から屋内への遷移領域の両方が、混合の遷移領域（hybrid transition region）６００Ｄ、６０５Ｄおよび６１０Ｄとして互いに重なり合って（overlaid with）示される。
【００３２】
[0043]  図５に戻って、１つ以上のターゲットＵＥは、アプリケーションサーバ１７０に、それらのおおよそのロケーション（例えば、ＧＰＳに基づくそれらの地理的座標、それらの現在サービスしているセクタ等）を示すロケーション情報を報告する５１５。アプリケーションサーバ１７０は、報告されたロケーション情報に基づいて遷移領域データベースからの屋内から屋外への複数の遷移領域および／または屋外から屋内への複数の遷移領域に関係する遷移領域情報を提供する５２０。例えば、アプリケーションサーバ１７０は、それぞれのターゲットＵＥに最も近くはない閉鎖環境に関する遷移領域情報をフィルタ除去（filter out）することができる。アプリケーションサーバ１７０はまた、それぞれのターゲットＵＥに最も近いが、それぞれのターゲットＵＥのユーザから訪問を受けそうにないと見なされる閉鎖環境に関する遷移領域情報をフィルタ除去することができる（例えば、コーヒーを飲まないユーザは、コーヒー店に関する遷移領域情報を提供されることにならず、ある商業オフィスビルで働いていないユーザは、その商業オフィスビルに関する遷移領域情報を受信することにならない等）。同様に、アプリケーションサーバ１７０はまた、それぞれのターゲットＵＥに最も近く、それぞれのターゲットＵＥのユーザからの訪問を受けそうだと見なされる閉鎖環境に関する遷移領域情報を含むことができる（例えば、喫煙の習慣があるユーザは、近所のタバコ店に関する遷移領域情報を提供されることができる等）。
【００３３】
[0044]  １つ以上のターゲットＵＥは、アプリケーションサーバ１７０から遷移領域情報を受信し、その遷移領域情報を使用して、１つ以上のターゲットＵＥによって使用される位置決定スキームを修正するかどうか決定する５２５。５２５がどのように実現されるかの例は、図７に関連して以下により詳細に提供される。
【００３４】
[0045]  図５は、遷移領域情報がアプリケーションサーバ１７０で集められ（aggregated）、そしてアプリケーションサーバ１７０によってターゲットＵＥへ配布される（disseminate）状況を対象とするが、他の実施形態が、遷移情報領域がターゲットＵＥに伝えられる異なるメカニズムを対象とすることができることは認識されるだろう。例えば、所与のターゲットＵＥは、所与の閉鎖環境の屋内空間と屋外空間との間の遷移領域を識別するために、所与の閉鎖環境へのおよび／またはそこからのそれ自身の移動の履歴を使用することができる。ターゲットＵＥはまた、アドホックまたはピアツーピア（Ｐ２Ｐ）プロトコルを通じて、遷移領域情報を生成し、それらの間で共有することができる。したがって、本発明の少なくとも１つの実施形態では、遷移領域情報を取得するために、直接的なサーバインタラクション（server interaction）が使用される必要がないことが認識されるだろう。
【００３５】
[0046]  図７は、本発明の実施形態に従って、特定の閉鎖環境（例えば、建物）に対する屋内空間と屋外空間との間での遷移の間に、所与のＵＥによって使用される位置決定スキームを動的に変更するプロセスを対象とする。図７の実施形態では、所与のＵＥは、特定の閉鎖環境に関連する屋内から屋外への遷移領域（またはＩＯ遷移領域）および屋外から屋内への遷移領域（またはＯＩ遷移領域）の両方を特徴付ける遷移領域情報が供給されている（provisioned with）と仮定する。さらに、所与のＵＥは、図３にあるように構成されており、それにより所与のＵＥは、少なくとも特定の閉鎖環境内で使用されることができる屋内位置決めスキーム（またはＩＰＳ）（例えば、ＷｉＦｉベースの位置決めスキーム等）、および、少なくとも特定の閉鎖環境の外側（およびそのすぐ近く）で使用されることができる屋外位置決めスキーム（またはＯＰＳ）（例えば、ＧＰＳ等）を備えていると仮定する。例えば、ＧＰＳの場合、ＧＰＳが屋外位置決めスキームとして使用されることができるように、充分な数のＧＰＳ衛星が、（必ずしも全ての内部（interior）ロケーションにおける閉鎖環境の内側である必要はないが）閉鎖環境の外側の見えるところに（in view outside of）あり得る。別の例では、ＷｉＦｉベースの位置決めスキームの場合、屋内のＡＰ（例えば、図３のＡＰ１および２のような）は、閉鎖環境における所与のＵＥの相対位置を決定するために使用される信号を有することができる。しかしながら、これらのＷｉＦｉ信号は、ＷｉＦｉベースの位置決めスキームが閉鎖環境における屋内位置決めスキームとして使用されることができるよう、閉鎖環境の境界を超えて非常に遠くまで拡張するのに十分な強度を有さない可能性がある。本発明の他の実施形態では、他のタイプの位置決めスキームが屋内または屋外位置決めスキームとして使用されることができること、ならびに、図７は（他の位置決めスキームを除外するためではなく）明瞭さを促進するためおよび説明の都合上、屋外位置決めスキームとしてのＧＰＳおよび屋内位置決めスキームとしてのＷｉＦｉに関して説明されていることは、容易に認識されるだろう。特に、屋内位置決めスキームに関して、ある粒度レベルで（at a level of granularity）、ＩＯ遷移領域への進入（entry）が生じたのを検出するために閉鎖環境の中で動作することができる何れの位置決めスキームも、屋内位置決めスキーム（例えば、屋内のＷｉＦｉ、Ｂｌｕｅｔｏｏｔｈ、ＲＦフィンガ―プリント法等）として使用されることができる。同様に、屋外位置決めスキームに関して、ある粒度レベルで、ＯＩ遷移領域への進入が生じたのを検出するために閉鎖環境の外側で動作することができる何れの位置決めスキームも、屋外位置決めスキーム（例えば、ＧＰＳ、屋外のＷｉＦｉ、セルラ三辺測量、ＧＰＳとセルラ位置決め技法との混合、ＲＦフィンガ―プリント法、フォワードリンク三辺測量（ＦＬＴ）、アドバンスドフォワードリンク三辺測量（ＡＦＬＴ）等）として使用されることができる。
【００３６】
[0047]  図７に関して、所与のＵＥは閉鎖環境の内側に位置し、屋内位置決めスキーム（例えば、ＷｉＦｉベースの位置決めスキーム）によってそれのロケーションをトラッキングしており、屋外位置決めスキーム（例えば、ＧＰＳ）によってはそれのロケーションをトラッキングしていないと仮定される７００。所与のＵＥが閉鎖環境を移動する際、所与のＵＥは、所与のＵＥが閉鎖環境の屋内から屋外への遷移領域へ入ったかどうか決定するためにそれのロケーションを評価する７０５。例えば、屋内位置決めスキームによって取得された地理的座標は、ＵＥが屋内から屋外への遷移領域へ入ったかどうか決定するために、７０５において屋内から屋外への遷移領域と比較されることができる。それによって、ＵＥは、屋外位置決めスキームを開始する前に屋内位置決めスキームが使用できなくなる状況で所与の閉鎖環境を出る必要がない。
【００３７】
[0048]  認識されるように、閉鎖環境は、複数の屋内から屋外への遷移領域（例えば、図６Ｂの６００Ｂから６１０Ｂまたは図６Ｄの６００Ｄから６１０Ｄを参照）を有することができ、およびこれらの屋内から屋外への遷移領域のうちの何れへの進入も、７０５においてチェックされることができる。所与のＵＥが、それが屋内から屋外への遷移領域へ入らなかったと決定する場合、プロセスは、７００へ戻り、所与のＵＥは、屋外位置決めスキーム（例えば、ＧＰＳ）ではなく屋内位置決めスキーム（例えば、ＷｉＦｉベースの位置決めスキーム）によってそれのロケーションをトラックし続ける。そうでなければ、所与のＵＥが、それが屋内から屋外への遷移領域へ入ったと決定する場合、所与のＵＥは、屋内位置決めスキーム（例えば、ＷｉＦｉベースの位置決めスキーム）によってそれのロケーションをトラックし続け、そして屋外位置決めスキーム（例えば、ＧＰＳ）を使用してそれのロケーションをトラックすることを始める７１０。その結果、ＵＥは、屋外位置決めスキームを開始する前に屋内位置決めスキームが使用できなくなる状況で所与の閉鎖環境を出る必要がなく、代わりに、屋内の位置決めシステムが依然として使用できる状況で屋内から屋外への遷移領域への進入に基づいて、７１０において屋外位置決めスキームを起動する（launch）ことができる。図７には示されていないが、所与のＵＥがそれの屋内から屋外への遷移領域を出て閉鎖環境の内部ロケーションへ戻る場合、プロセスは、７１０から７００へ戻るよう遷移し得る。
【００３８】
[0049]  図７に関して、所与のＵＥが屋内から屋外への遷移領域に留まる（または屋内から屋外への遷移領域を去り、閉鎖環境のさらに外側へ移動しさえする）間、所与のＵＥは、屋外の位置決めシステムに関連するロケーション測定の品質を評価する７１５。屋外の位置決めシステムに関連するロケーション測定の品質が、７１５において第１の品質しきい値を超えないと決定される場合、所与のＵＥは、７１０において、それのロケーションをトラッキングするために屋内および屋外位置決めスキームの両方を使用し続ける（例えば、屋外位置決めスキームは、まだ所与のＵＥのロケーションをトラッキングすることをそれのみに依存されることができないので）。屋外の位置決めシステムがＧＰＳに対応する例では、第１の品質しきい値は、しきい値より低い疑似距離誤差（pseudorange error）を有することを考慮した（in-view with）充分な数のＧＰＳ衛星（例えば、４）に対応し得る。そうでなければ、屋外の位置決めシステムに関連するロケーション測定の品質が、７１５において第１の品質しきい値を超えると決定される場合、所与のＵＥは、屋内位置スキームを使用してそれのロケーションをトラッキングすることをやめ、屋外位置決めスキームだけに遷移する７２０（例えば、屋外位置決めスキームは今や所与のＵＥのロケーションをトラッキングすることをそれのみに依存されることができるので）。図７には明示的に示されていないが、７２０は、所与のＵＥが閉鎖環境に対する屋内空間の代わりに屋外空間においてプロセスをスタートさせた場合、図７のプロセスの代替の開始点を表す。
【００３９】
[0050]  図７に関して、所与のＵＥが閉鎖環境の外側で移動する際、所与のＵＥは、所与のＵＥが閉鎖環境の屋外から屋内への遷移領域へ入ったかどうか決定するために、それのロケーションを評価する７２５。例えば、屋外位置決めスキームによって取得された地理的座標は、ＵＥが屋外から屋内への遷移領域へ入ったかどうか決定するために、７２５において屋外から屋内への遷移領域と比較されることができる。
【００４０】
[0051]  認識されるように、閉鎖環境は、複数の屋外から屋内への遷移領域（例えば、図６Ｃの６００Ｃから６１０Ｃまたは図６Ｄの６００Ｄから６１０Ｄを参照）を有することができ、これらの屋外から屋内への遷移領域の何れへの進入も、７２５においてチェックされることができる。所与のＵＥが、それが屋外から屋内への遷移領域へ入らなかったと決定する場合、プロセスは７２０へ戻り、所与のＵＥは屋内位置決めスキーム（例えば、ＷｉＦｉベースの遷移スキーム）ではなく、屋外位置決めスキーム（例えば、ＧＰＳ）によって、それのロケーションをトラッキングし続ける。そうでなければ、所与のＵＥが、それが屋外から屋内への遷移領域へ入ったと決定する場合には、所与のＵＥは、屋外位置決めスキーム（例えば、ＧＰＳ）によってそれのロケーションをトラッキングし続け、そして屋内位置決めスキーム（例えば、ＷｉＦｉベースの位置決めスキーム）を使用してそれのロケーションをトラッキングすることを始める７３０。それによって、ＵＥは、屋内位置決めスキームを開始する前に屋外位置決めスキームが使用できなくなる状況で所与の閉鎖環境へ入る必要がなく、代わりに、屋外の位置決めシステムが依然として使用できる状況で屋外から屋内への遷移領域への進入に基づいて、７３０において屋内位置決めスキームを起動することができる。図７には示されていないが、所与のＵＥが屋外から屋内への遷移領域を出て閉鎖環境からさらに遠く離れたロケーションへ戻る場合、プロセスは、７３０から７２０へ戻るよう遷移し得る。
【００４１】
[0052]  図７に関して、所与のＵＥが屋外から屋内への遷移領域に留まる（または屋外から屋内への遷移領域を去り、閉鎖環境のさらに内側へ移動しさえする）間、所与のＵＥは、屋内の位置決めシステムに関連するロケーション測定の品質を評価する７３５。屋内の位置決めシステムに関連するロケーション測定の品質が、７３５において、第２の品質しきい値を超えないと決定される場合、所与のＵＥは、７３０において、それのロケーションをトラッキングするために、屋内位置決めスキームと屋外位置決めスキームとの両方を使用し続ける（例えば、屋内位置決めスキームは、まだ所与のＵＥのロケーションをトラッキングすることをそれのみに依存されることができないので）。屋内の位置決めシステムがＷｉＦｉに対応する例では、第２の品質しきい値は、充分な数のＷｉＦｉ信号および／またはＷｉＦｉ信号の充分な信号強度に対応し得る。そうでなければ、屋内の位置決めシステムに関連するロケーション測定の品質が、７３５において第２の品質しきい値を超えると決定される場合、図７のプロセスは７００へ戻り、ここでは、所与のＵＥは屋外の位置スキームを使用してそれのロケーションをトラッキングすることをやめ、屋内位置決めスキームだけに遷移する７００（例えば、屋内位置決めスキームは今や所与のＵＥのロケーションをトラッキングすることをそれのみに依存されることができるので）。
【００４２】
[0053]  図８は、本発明の実施形態に従って、図６Ｄの結合された遷移領域６００Ｄから６１５（すなわち、屋内から屋外への遷移領域と屋外から屋内への遷移領域との両方を含む遷移領域）に関して、図７のプロセスの例示的な実現を例示する。図８に関して、所与のＵＥは、位置１において、閉鎖環境（すなわち、オフィス空間またはオフィスビル）の外側で始まり、ここで所与のＵＥは、屋内位置決めスキームではなく屋外位置決めスキームを使用してそれのロケーションをトラッキングする（７２０）。所与のＵＥは次に、位置２における屋外から屋内への位置領域（position region）６０５Ｄへ移動し（７２５）、ここで所与のＵＥは、屋内位置決めスキームと屋外位置決めスキームとの両方を使用して、それのロケーションをトラッキングする（７３０）。所与のＵＥは次に、位置３における閉鎖環境の内部ロケーションへ移動し、ここで屋内位置決めスキームの品質は、第２の品質しきい値を超え（７３５）、それは、所与のＵＥに、屋外位置決めスキームを使用してそれのロケーションをトラッキングすることをやめて、代わりに屋内位置決めスキームのみに依存することを促がす（７００）。所与のＵＥは次に、位置４にける屋内から屋外への位置領域６１０Ｄへ移動し（７０５）、ここで所与のＵＥは、屋内位置決めスキームと屋外位置決めスキームとの両方を使用してそれのロケーションをトラッキングする（７１０）。所与のＵＥは次に、位置５における、閉鎖環境からさらに遠く離れた外部（exterior）ロケーションへ移動し、ここで屋外位置決めスキームの品質は、第１の品質しきい値を超え（７１５）、それは、所与のＵＥに、屋内位置決めスキームを使用してそれのロケーションをトラッキングすることをやめて、代わりに屋外位置決めスキームのみに依存することを促がす（７２０）。
【００４３】
[0054]  当業者は、情報および信号は、多様な異なる技術および技法の何れを使用しても表される得ることを認識するだろう。例えば、上の説明の全体を通して言及され得たデータ、命令、コマンド、情報、信号、ビット、シンボル、およびチップは、電圧、電流、電磁波、磁場または磁性粒子、光場または光粒子、またはそれらの任意の組み合わせによって表され得る。
【００４４】
[0055]  さらに、当業者は、ここに開示された実施形態に関連して説明された様々な例示的な論理ブロック、モジュール、回路、アルゴリズムステップは、電子ハードウェア、コンピュータソフトウェア、またはその両方の組み合わせとして実現され得ることを認識するだろう。ハードウェアおよびソフトウェアのこの互換性を明確に例示するために、様々な例示的なコンポーネント、ブロック、モジュール、回路、およびステップが、一般にそれらの機能性の観点から上に説明されている。そのような機能性が、ハードウェアとして実現されるかまたはソフトウェアとして実現されるかは、特定のアプリケーションおよびシステム全体に課せられた設計制約に依存する。当業者は、説明された機能性を、各特定のアプリケーションに関して様々な方法で実現し得るが、そのような実現の決定は本発明の範囲から逸脱を生じさせるものと解釈されるべきでない。
【００４５】
[0056]  ここに開示された実施形態に関連して説明された様々な例示的な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、またはここに説明された機能を実施するように設計されたそれらの任意の組み合わせを用いて、実現または実施され得る。汎用プロセッサは、マイクロプロセッサであり得るが、別の方法では、プロセッサは、任意の従来のプロセッサ、コントローラ、マイクロコントローラ、またはステートマシンであり得る。プロセッサはまた、コンピューティングデバイスの組み合わせ、例えば、ＤＳＰと１つのマイクロプロセッサ、複数のマイクロプロセッサ、ＤＳＰコアと連結した１つ以上のマイクロプロセッサ、または任意の他のそのような構成、との組み合わせとしても実装され得る。
【００４６】
[0057]  ここに開示された実施形態に関連して説明された方法、シーケンスおよび／またはアルゴリズムは、直接的にハードウェアにおいて、プロセッサによって実行されるソフトウェアモジュールにおいて、またはそれら２つの組み合わせにおいて、具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当技術で知られている任意の他の形態の記憶媒体に存在し得る。例示的な記憶媒体は、プロセッサが記憶媒体から情報を読み出すことができるように、および記憶媒体へ情報を書き込むことができるように、プロセッサに結合されている。別の方法では、記憶媒体は、プロセッサと一体化され得る。プロセッサおよび記憶媒体は、ＡＳＩＣに存在し得る。ＡＳＩＣは、ユーザ端末（例えば、ＵＥ）に存在し得る。別の方法では、プロセッサおよび記憶媒体は、ユーザ端末における個別のコンポーネントとして存在し得る。
【００４７】
[0058]  １つ以上の例示的な実施形態では、説明された機能は、ハードウェア、ソフトウェア、ファームウェア、またはそれらの任意の組み合わせにおいて実現され得る。ソフトウェアで実現される場合、機能は、コンピュータ読み取り可能な媒体上の１つ以上の命令またはコードとして記憶または送信され得る。コンピュータ読み取り可能な媒体は、１つの場所から別の場所へのコンピュータプログラムの転送を容易にする任意の媒体を含む、コンピュータ記憶媒体および通信媒体の両方を含む。記憶媒体は、コンピュータによってアクセスされることができる任意の利用可能な媒体であり得る。限定ではなく例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコードを搬送または記憶するために使用されることができ、コンピュータによってアクセスされることができる、任意の他の媒体を備えることができる。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイディスクを含み、ここでディスク（disk）は、通常磁気的にデータを再生し、一方ディスク（disc）は、レーザーを用いて光学的にデータを再生する。上記の組み合わせもまた、コンピュータ読み取り可能な媒体の範囲内に含まれるべきである。
【００４８】
[0059]  前述の開示は本発明の例示的な実施形態を示すが、添付の特許請求の範囲によって定義された本発明の範囲から逸脱することなく、ここで様々な変更および修正がなされることができることに留意されたい。ここに説明された本発明の実施形態に従った方法の請求項の機能、ステップおよび／またはアクションは、任意の特定の順序で実施される必要はない。さらに、本発明のエレメントは、単数形で説明または特許請求され得るが、単数形への限定が明記されていない限り、複数形が考慮されている。
【図１】
2019050596.tif 000003
【図２】
2019050596.tif 000004
【図３】
2019050596.tif 000005
【図４】
2019050596.tif 000006
【図５】
2019050596.tif 000007
【図６Ａ】
2019050596.tif 000008
【図６Ｂ】
2019050596.tif 000009
【図６Ｃ】
2019050596.tif 000010
【図６Ｄ】
2019050596.tif 000011
【図７】
2019050596.tif 000012
【図８】
2019050596.tif 000013
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）を動作させる方法であって、
所与の閉鎖環境に対する、屋内空間と屋外空間との間の屋内から屋外への遷移領域のセットを特徴付ける遷移領域情報を取得することと、
前記ＵＥが前記屋内空間内で動作している間、屋内位置決めスキームを使用して前記ＵＥのロケーションをトラッキングすることと、
前記屋内位置決めスキームを使用した前記ロケーショントラッキングに基づいて、前記ＵＥが、屋内から屋外への遷移領域の前記セットからの所与の屋内から屋外への遷移領域へ入ったことを検出することと、
前記検出に応答して、屋外位置決めスキームを使用して前記ＵＥのロケーショントラッキングを開始することと
を備える、方法。
【手続補正２】
【補正対象書類名】明細書
【補正対象項目名】００４８
【補正方法】変更
【補正の内容】
【００４８】
[0059]  前述の開示は本発明の例示的な実施形態を示すが、添付の特許請求の範囲によって定義された本発明の範囲から逸脱することなく、ここで様々な変更および修正がなされることができることに留意されたい。ここに説明された本発明の実施形態に従った方法の請求項の機能、ステップおよび／またはアクションは、任意の特定の順序で実施される必要はない。さらに、本発明のエレメントは、単数形で説明または特許請求され得るが、単数形への限定が明記されていない限り、複数形が考慮されている。
以下に本願の出願当初の特許請求の範囲に記載された発明を付記する。
［Ｃ１］
ユーザ装置（ＵＥ）を動作させる方法であって、
所与の閉鎖環境に対する、屋内空間と屋外空間との間の屋内から屋外への遷移領域のセットを特徴付ける遷移領域情報を取得することと、
前記ＵＥが前記屋内空間内で動作している間、屋内位置決めスキームを使用して前記ＵＥのロケーションをトラッキングすることと、
前記屋内位置決めスキームを使用した前記ロケーショントラッキングに基づいて、前記ＵＥが、屋内から屋外への遷移領域の前記セットからの所与の屋内から屋外への遷移領域へ入ったことを検出することと、
前記検出に応答して、屋外位置決めスキームを使用して前記ＵＥのロケーショントラッキングを開始することと
を備える、方法。
［Ｃ２］
前記ＵＥは、前記屋外位置決めスキームを使用した前記ロケーショントラッキングが開始された後、前記屋内位置決めスキームを使用した前記ロケーショントラッキングを続ける、Ｃ１に記載の方法。
［Ｃ３］
前記屋外位置決めスキームに関連する品質が品質しきい値を超えると決定することと、  前記決定に応答して、前記屋外位置決めスキームを使用して前記ロケーショントラッキングを続ける一方、前記屋内位置決めスキームを使用した前記ロケーショントラッキングをやめること
をさらに備える、Ｃ２に記載の方法。
［Ｃ４］
前記屋内位置決めスキームを使用した前記ロケーショントラッキングおよび／または前記屋外位置決めスキームを使用した前記ロケーショントラッキングに基づいて、前記ＵＥが、前記所与の屋内から屋外への遷移領域から前記屋内空間へ戻るよう遷移したと決定することと、
前記決定に応答して、前記屋内位置決めスキームを使用した前記ロケーショントラッキングを続けるまたは再び始める一方、前記屋外位置決めスキームを使用した前記ロケーショントラッキングをやめること
をさらに備える、Ｃ２に記載の方法。
［Ｃ５］
前記屋外位置決めスキームを使用した前記ロケーショントラッキングを開始することと併せて、前記屋内位置決めスキームを使用した前記ロケーショントラッキングをやめること
をさらに備える、Ｃ１に記載の方法。
［Ｃ６］
前記屋外位置決めスキームは衛星測位システム（ＳＰＳ）スキームに対応し、および前記屋内位置決めスキームは、前記屋内空間をサービスするＷｉＦｉアクセスポイント（ＡＰ）に基づくＷｉＦｉベースの位置決めスキームに対応する、Ｃ１に記載の方法。
［Ｃ７］
前記遷移領域情報が、前記所与の閉鎖環境に対する前記屋内空間と前記屋外空間との間の屋外から屋内への遷移領域のセットをさらに特徴付ける、Ｃ１に記載の方法。
［Ｃ８］
屋内から屋外への遷移領域の前記セットおよび前記屋外から屋内への遷移領域の前記セットが、前記所与の閉鎖環境に対する前記屋内空間と前記屋外空間との間の混合の遷移領域の単一のセットに集合的に対応する、Ｃ７に記載の方法。
［Ｃ９］
前記ＵＥの現在のロケーションを特徴付けるロケーション情報を、サーバへ報告すること、をさらに備え、
ここにおいて、前記取得するステップが、前記報告されたロケーション情報と前記所与の閉鎖環境のロケーションとの間の関連に基づいて、前記サーバから前記遷移領域情報を取得する、
Ｃ１に記載の方法。
［Ｃ１０］
前記屋外位置決めスキームを使用した前記ＵＥの前記ロケーショントラッキングが、前記屋内または屋外位置決めスキームに関連する品質レベルにかかわらず、前記所与の屋内から屋外への遷移領域への前記ＵＥの検出された進入に基づいて開始される、Ｃ１に記載の方法。
［Ｃ１１］
ユーザ装置（ＵＥ）を動作させる方法であって、
所与の閉鎖環境に対する、屋内空間と屋外空間との間の屋外から屋内への遷移領域のセットを特徴付ける遷移領域情報を取得することと、
前記ＵＥが前記屋外空間内で動作している間、屋外位置決めスキームを使用して前記ＵＥのロケーションをトラッキングすることと、
前記屋外位置決めスキームを使用した前記ロケーショントラッキングに基づいて、前記ＵＥが、屋外から屋内への遷移領域の前記セットからの所与の屋外から屋内への遷移領域へ入ったことを検出することと、
前記検出に応答して、屋内位置決めスキームを使用して前記ＵＥのロケーショントラッキングを開始することと
を備える、方法。
［Ｃ１２］
前記ＵＥは、前記屋内位置決めスキームを使用した前記ロケーショントラッキングが開始された後、前記屋外位置決めスキームを使用した前記ロケーショントラッキングを続ける、Ｃ１１に記載の方法。
［Ｃ１３］
前記屋内位置決めスキームに関連する品質が品質しきい値を超えると決定することと、  前記決定に応答して、前記屋内位置決めスキームを使用して前記ロケーショントラッキングを続ける一方、前記屋外位置決めスキームを使用した前記ロケーショントラッキングをやめること
をさらに備える、Ｃ１２に記載の方法。
［Ｃ１４］
前記屋内位置決めスキームを使用した前記ロケーショントラッキングおよび／または前記屋外位置決めスキームを使用した前記ロケーショントラッキングに基づいて、前記ＵＥが、前記所与の屋外から屋内への遷移領域から前記屋外空間へ戻るよう遷移したと決定することと、
前記決定に応答して、前記屋外位置決めスキームを使用した前記ロケーショントラッキングを続けるまたは再び始める一方、前記屋内位置決めスキームを使用した前記ロケーショントラッキングをやめること
をさらに備える、Ｃ１２に記載の方法。
［Ｃ１５］
前記屋内位置決めスキームを使用した前記ロケーショントラッキングを開始することと併せて、前記屋外位置決めスキームを使用した前記ロケーショントラッキングをやめること
をさらに備える、Ｃ１１に記載の方法。
［Ｃ１６］
前記屋外位置決めスキームは衛星測位システム（ＳＰＳ）スキームに対応し、および前記屋内位置決めスキームは、前記屋内空間をサービスするＷｉＦｉアクセスポイント（ＡＰ）に基づくＷｉＦｉベースの位置決めスキームに対応する、Ｃ１１に記載の方法。
［Ｃ１７］
前記遷移領域情報が、前記所与の閉鎖環境に対する前記屋内空間と前記屋外空間との間の屋内から屋外への遷移領域のセットをさらに特徴付ける、Ｃ１１に記載の方法。
［Ｃ１８］
屋内から屋外への遷移領域の前記セットおよび前記屋外から屋内への遷移領域の前記セットが、前記所与の閉鎖環境に対する前記屋内空間と前記屋外空間との間の混合の遷移領域の単一のセットに集合的に対応する、Ｃ１７に記載の方法。
［Ｃ１９］
前記ＵＥの現在のロケーションを特徴付けるロケーション情報を、サーバへ報告すること、をさらに備え、
ここにおいて、前記取得するステップが、前記報告されたロケーション情報と前記所与の閉鎖環境のロケーションとの間の関連に基づいて、前記サーバから前記遷移領域情報を取得する、
Ｃ１１に記載の方法。
［Ｃ２０］
前記屋内位置決めスキームを使用した前記ＵＥの前記ロケーショントラッキングが、前記屋内または屋外位置決めスキームに関連する品質レベルにかかわらず、前記所与の屋外から屋内への遷移領域への前記ＵＥの検出された進入に基づいて開始される、Ｃ１１に記載の方法。
［Ｃ２１］
ユーザ装置（ＵＥ）であって、
所与の閉鎖環境に対する、屋内空間と屋外空間との間の屋内から屋外への遷移領域のセットを特徴付ける遷移領域情報を取得する手段と、
前記ＵＥが前記屋内空間内で動作している間、屋内位置決めスキームを使用して前記ＵＥのロケーションをトラッキングする手段と、
前記屋内位置決めスキームを使用した前記ロケーショントラッキングに基づいて、前記ＵＥが、屋内から屋外への遷移領域の前記セットからの所与の屋内から屋外への遷移領域へ入ったことを検出する手段と、
前記検出に応答して、屋外位置決めスキームを使用して前記ＵＥのロケーショントラッキングを開始する手段と
を備える、ＵＥ。
［Ｃ２２］
ユーザ装置（ＵＥ）であって、
所与の閉鎖環境に対する、屋内空間と屋外空間との間の屋外から屋内への遷移領域のセットを特徴付ける遷移領域情報を取得する手段と、
前記ＵＥが前記屋外空間内で動作している間、屋外位置決めスキームを使用して前記ＵＥのロケーションをトラッキングする手段と、
前記屋外位置決めスキームを使用した前記ロケーショントラッキングに基づいて、前記ＵＥが、屋外から屋内への遷移領域の前記セットからの所与の屋外から屋内への遷移領域へ入ったことを検出する手段と、
前記検出に応答して、屋内位置決めスキームを使用して前記ＵＥのロケーショントラッキングを開始する手段と
を備える、ＵＥ。
［Ｃ２３］
ユーザ装置（ＵＥ）であって、
所与の閉鎖環境に対する、屋内空間と屋外空間との間の屋内から屋外への遷移領域のセットを特徴付ける遷移領域情報を取得するように構成されたロジックと、
前記ＵＥが前記屋内空間内で動作している間、屋内位置決めスキームを使用して前記ＵＥのロケーションをトラッキングするように構成されたロジックと、
前記屋内位置決めスキームを使用した前記ロケーショントラッキングに基づいて、前記ＵＥが、屋内から屋外への遷移領域の前記セットからの所与の屋内から屋外への遷移領域へ入ったことを検出するように構成されたロジックと、
前記検出に応答して、屋外位置決めスキームを使用して前記ＵＥのロケーショントラッキングを開始するように構成されたロジックと
を備える、ＵＥ。
［Ｃ２４］
ユーザ装置（ＵＥ）であって、
所与の閉鎖環境に対する、屋内空間と屋外空間との間の屋外から屋内への遷移領域のセットを特徴付ける遷移領域情報を取得するように構成されたロジックと、
前記ＵＥが前記屋外空間内で動作している間、屋外位置決めスキームを使用して前記ＵＥのロケーションをトラッキングするように構成されたロジックと、
前記屋外位置決めスキームを使用した前記ロケーショントラッキングに基づいて、前記ＵＥが、屋外から屋内への遷移領域の前記セットからの所与の屋外から屋内への遷移領域へ入ったことを検出するように構成されたロジックと、
前記検出に応答して、屋内位置決めスキームを使用して前記ＵＥのロケーショントラッキングを開始するように構成されたロジックと
を備える、ＵＥ。
［Ｃ２５］
ユーザ装置（ＵＥ）によって実行されると、前記ＵＥに動作を実行させる命令を記憶した、非一時的なコンピュータ読み取り可能な媒体であって、前記命令は、
前記ＵＥに、所与の閉鎖環境に対する、屋内空間と屋外空間との間の屋内から屋外への遷移領域のセットを特徴付ける遷移領域情報を取得させるための少なくとも１つの命令と、
前記ＵＥに、前記ＵＥが前記屋内空間内で動作している間、屋内位置決めスキームを使用して前記ＵＥのロケーションをトラッキングさせるための少なくとも１つの命令と、
前記ＵＥに、前記屋内位置決めスキームを使用した前記ロケーショントラッキングに基づいて、前記ＵＥが、屋内から屋外への遷移領域の前記セットからの所与の屋内から屋外への遷移領域へ入ったことを検出させるための少なくとも１つの命令と、
前記ＵＥに、前記検出に応答して、屋外位置決めスキームを使用して前記ＵＥのロケーショントラッキングを開始させるための少なくとも１つの命令と
を備える、非一時的なコンピュータ読み取り可能な媒体。
［Ｃ２６］
ユーザ装置（ＵＥ）によって実行されると、前記ＵＥに動作を実行させる命令を記憶した、非一時的なコンピュータ読み取り可能な媒体であって、前記命令は、
前記ＵＥに、所与の閉鎖環境に対する、屋内空間と屋外空間との間の屋外から屋内への遷移領域のセットを特徴付ける遷移領域情報を取得させるための少なくとも１つの命令と、
前記ＵＥに、前記ＵＥが前記屋外空間内で動作している間、屋外位置決めスキームを使用して前記ＵＥのロケーションをトラッキングさせるための少なくとも１つの命令と、
前記ＵＥに、前記屋外位置決めスキームを使用した前記ロケーショントラッキングに基づいて、前記ＵＥが、屋外から屋内への遷移領域の前記セットからの所与の屋外から屋内への遷移領域へ入ったことを検出させるための少なくとも１つの命令と、
前記ＵＥに、前記検出に応答して、屋内位置決めスキームを使用して前記ＵＥのロケーショントラッキングを開始させるための少なくとも１つの命令と
を備える、非一時的なコンピュータ読み取り可能な媒体。
【外国語明細書】
2019050596000001.pdf